(57)【要約】【課題】  マルチフィルムが張られている畝に対して、里芋や馬鈴薯などの球根類の植付のために使用する器具で、優れた掘削機能及び切断機能を備えると共に、切断フィルム片が排出土壌と共に器具外に排出されない穴掘り器を提供する。【解決手段】  掘削部１と操作部２と針部３とを備えているもので、掘削部１が、下方先端に刃１１を設けた一対の半筒体１２ａ，１２ｂを組み合わせて全体を筒状に形成し、且つ半筒体上部を重ね合わせると共に枢結（枢結軸１３）して、半筒体を下方が開閉自在となるように連結して形成したもので、操作部２は、前記半筒体における枢結軸線から遠い位置の上部を上方に延長して形成した腕部２１と、前記腕部間に半筒体の開閉操作機構を組み込んで介設した握持部２２とで構成され、針部３が、基部３２を操作部の適宜箇所に連結し、掘削部の中心に適宜長さのフィルム保持杆３１を垂設すると共に、先端に返し部を有する突刺部を形成する。【選択図】  図１
0003107278.tif 000002
【実用新案登録請求の範囲】
【請求項１】
下方先端に刃を設けた一対の半筒体を組み合わせて全体を筒状に形成し、且つ半筒体上部を重ね合わせると共に枢結して、半筒体を下方が開閉自在となるように連結して形成した掘削部と、前記半筒体における枢結軸線から遠い位置の上部を上方に延長して形成した腕部を有し、前記腕部間に半筒体の開閉操作機構を組み込んだ握持部を介設した操作部と、基部を操作部の適宜箇所に連結し、掘削部の中心に適宜長さのフィルム保持杆を垂設すると共に、先端に返し部を有する突刺部を形成した針部とを備えてなることを特徴とする穴掘り器。
【請求項２】
腕部に縦長孔を形成し、前記縦長孔の所望位置に突刺部の基部を装着固定し、針部の上下位置を調整自在としてなる請求項１記載の穴掘り器。
【請求項３】
握持部を、把手となる外筒体と端部が操作ボタンとなる内筒体で形成した二重筒体構造で、内部に半筒体を閉じる方向に付勢する発条を内装してなる請求項１又は２記載の穴掘り器。
【考案の詳細な説明】
【技術分野】
【０００１】
本考案は、マルチフィルムが張られている畝に対して、里芋や馬鈴薯などの球根類の植付のために使用する穴掘り器に関するものである。
【背景技術】
【０００２】
マルチフィルムを被せた畝に対する里芋や馬鈴薯などの根菜類や球根類の植付けを行うためには、フィルムを円形に切除し、更に球根などを植えつける穴を形成しなければならない。
【０００３】
上記の農作業に使用する器具として、実開平５−９１２９８号公報（特許文献１）には、従来技術として筒状体の先端に切り刃を設け、切り刃の中心に刺突針を備えた器具（同文献の図９）が開示されており、この改良器具として、熱溶融でフィルムを切除すると共に、円周の一部を非切除とした器具が提案されている。
【０００４】
また畝に植え付け穴を形成する器具としては、実開平６−８１２０７号公報（特許文献２）には、先端に刃を有する一対の半筒体を組み合わせ、全体がほぼ筒状で且つ上部を枢結して開閉自在に連結して形成した掘削部と、前記掘削部の半筒体の上部を延長した腕部、及び前記腕部間に把手となる外筒体と端部が操作ボタンとなる内筒部で形成した二重筒体構造で、内部に半筒体を閉じる方向（両腕が離反する方向）に付勢する発条を内装した握持部とで構成した操作部を備えてなる器具が開示されている。
【０００５】
更にフィルム切断と掘削を同時に行う器具として、特開２００４−１２９６５２号公報（特許文献３）に、両端が開口し且つ下端部にカッタ刃を形成した筒状本体と、筒状本体より上方が延び、上端に把手を設けたフレームと、筒状本体内に移動可能に位置する押圧部材に、フレームにガイドされる連結棒を連設した押出機構とで構成され、更に前記押圧部材の下面に針状突起を設けた器具が開示されている。
【０００６】
【特許文献１】実開平５−９１２９８号公報の図９。
【特許文献２】実開平６−８１２０７号公報。
【特許文献３】特開２００４−１２９６５２号公報の図３。
【考案の開示】
【考案が解決しようとする課題】
【０００７】
特許文献１記載の器具はフィルム切断器具であり、掘削機能を備えていない。また特許文献２記載の器具は、フィルム切断機能を備えていない。特許文献３記載の器具は、フィルム切断機能と掘削機能とを併せ持っているが、必ずしも使い易い器具とはいえない。
【０００８】
即ち特許文献３記載の器具は、掘削機能としては単に筒状本体を畝に押し込みそして引き抜くものであるから、引き抜きに際して土壌が保持されない虞がある。また切断フィルム片は、針状突起に貯められることになるが、筒状本体から抱持土壌を排除する際に、土壌上面に切断フィルム片が押し付けられることになり、排出土壌と一緒に排出され切断フィルム片が排出土壌に混じってしまう不都合が生じやすい。
【０００９】
そこで本考案は、優れた掘削機能及び切断機能を備えると共に、切断フィルム片が排出土壌と共に器具外に排出されない穴掘り器を提案したものである。
【課題を解決するための手段】
【００１０】
本考案に係る穴掘り器は、掘削部と操作部と針部とを備えているもので、掘削部が、下方先端に刃を設けた一対の半筒体を組み合わせて全体を筒状に形成し、且つ半筒体上部を重ね合わせると共に枢結して、半筒体を下方が開閉自在となるように連結して形成したもので、操作部は、前記半筒体における枢結軸線から遠い位置の上部を上方に延長して形成した腕部と、前記腕部間に半筒体の開閉操作機構を組み込んで介設した握持部とで構成され、針部が、基部を操作部の適宜箇所に連結し、掘削部の中心に適宜長さのフィルム保持杆を垂設すると共に、先端に返し部を有する突刺部を形成したものである。
【００１１】
而して掘削部の半筒体の下方を開いた状態でフィルムが張られている畝の所定箇所（球根などの植え付け箇所）へ上方から押し込むと、フィルムが切断されると共に針部に突き刺さる。同時に切断フィルム片の下方の土壌が半筒体で囲繞された空間に納まり、半筒体を閉じると前記土壌は、半筒体でしっかりと抱持され、器具を畝から引き抜くと、畝に植え付け用の穴が穿たれることになり、半筒体の開口で抱持土壌が排出され、切断フィルム片は、針部の保持杆に保持される。
【考案の効果】
【００１２】
本考案の穴掘り器は上記構成を備えているもので、フィルムの切断と同時に畝の土壌を抱え込んで引き抜くので、フィルムが張られた畝において、確実な穴掘りが実施することができ、また掘削土の排除に際して切断フィルム片が排除土壌と一緒に排出されることがない。
【考案を実施するための最良の形態】
【００１３】
次に本考案の実施の形態について説明する。図示した実施形態の穴掘り器は、掘削部１と操作部２と針部３とを備えているものである。
【００１４】
掘削部１は、下方先端に刃１１を設けた一対の半筒体（半円筒体）１２ａ，１２ｂを組み合わせて全体を円筒状に形成し、且つ半筒体１２ａ，１２ｂの上部を重ね合わせると共に枢結してなるもので、枢結軸１３を中心に半筒体１２ａ，１２ｂの下方が嘴様に開閉自在となるようにしたものである。
【００１５】
操作部２は、腕部２１と握持部２２で構成され、腕部２１は、枢結した半筒体１２ａ，１２ｂの開閉操作が容易になされるように、枢結軸１３から遠い位置の半筒体１２ａ，１２ｂの上部を上方に延長して形成したものである。
【００１６】
握持部２２は、腕部２１間に介設したもので、把手となる外筒体２３と、端部が操作ボタン２４となる内筒体２５で形成した二重筒体構造で、内部に半筒体１２ａ，１２ｂを閉じる方向に付勢する発条を内装してなるものである。
【００１７】
針部３は、半筒体１２ａ，１２ｂの中心部分に位置し、先端部が半筒体１２ａ，１２ｂより下方に突出するフィルム保持杆３１を備えたもので、フィルム保持杆３１を前記位置に固定すると共に、不使用時におけるフィルム保持杆３１の突出状態を解消して収納適応するために、フィルム保持杆３１の基方をＬ状に折曲し、基部３２を、腕部２１に形成した縦長孔３３に、止めネジ体３４を用いて固定する。またフィルム保持杆３１の先端は、尖らし且つ返し部を設けた突刺部３５に形成したものである。
【００１８】
而して握持部２２の外筒体（把手）２３を握持し、親指で操作ボタン２４を押圧して、掘削部１の半筒体１２ａ，１２ｂの下方を開いた状態とし（図２）、フィルムＡが張られている畝Ｂにおける植え付け箇所へ上方から押し込む。この押し込みで刃１１によりフィルムＡが切断されると共に、その切断片ａは針部３に突き刺さる。同時に切断フィルム片ａの下方の土壌ｂが半筒体１２ａ，１２ｂで囲繞された空間に納まり、操作ボタン２４の押圧力を解除すると、握持部２２内の発条の付勢力で半筒体１２ａ，１２ｂが閉じ、前記土壌ｂは、半筒体１２ａ，１２ｂでしっかりと抱持されることになる。
【００１９】
そこで器具を畝Ｂから引き抜くと、畝Ｂには植え付け用の穴Ｃが穿たれることになり、器具で抱持した土壌ｂは、操作ボタン２４を押圧して、半筒体１２ａ，１２ｂを開き排出する。また切断フィルム片ａは、針部３のフィルム保持杆３１に刺さった状態で保持され、下方に落ちてきても返し部の存在によって抜け落ちるようなことはない。
【図面の簡単な説明】
【００２０】
【図１】本考案の実施形態の全体斜視図。
【図２】同使用状態の説明図（穴掘り前から畝への差込まで）。
【図３】同使用状態の説明図（穴堀り後の状態）。
【符号の説明】
【００２１】
１          掘削部
１１        刃
１２ａ，１２ｂ    半筒体
１３        枢結軸
２          操作部
２１        腕部
２２        握持部
２３        外筒体
２４        操作ボタン
２５        内筒体
３          針部
３１        フィルム保持杆
３２        基部
３３        縦長孔
３４        止めネジ体
３５        突刺部
【図１】
0003107278.tif 000003
【図２】
0003107278.tif 000004
【図３】
0003107278.tif 000005
【手続補正書】
【提出日】平成16年8月19日(2004.8.19)
【手続補正２】
【補正対象書類名】明細書
【補正対象項目名】００２０
【補正方法】変更
【補正の内容】
【００２０】
【図１】本考案の実施形態の全体斜視図。
【図２】同使用状態の説明図（穴掘り前から畝への差込まで）。
【図３】同使用状態の説明図（穴掘り後の状態）。